(57)【要約】  【課題】  漏水が生じた場合、少量の漏水であっても漏水センサで確実に検知することができる食器洗い機を提供する。底板の強度を維持しつつ、低コストで漏水を確実に検知することができる食器洗い機を提供する。  【解決手段】  食器を収容する洗浄槽と、洗浄槽を収納する筐体と、洗浄槽２内に水を供給する給水管と、給水された水を洗浄槽から排水する排水管とを備え、給水管及び排水管の洗浄槽への接合部分を洗浄槽と筐体との間に配設してあり、給水管により供給された水を食器に対して噴射する食器洗い機において、接合部分からの漏水を検知する漏水センサ１３を筐体の底面に備え、筐体の底面に、漏水センサ１３へ接合部分からの漏水を誘導する流路４３を形成するリブ４２を備える。【選択図】      図３
2006288768.tif 000002
【特許請求の範囲】
【請求項１】
食器を収容する洗浄槽と、該洗浄槽を収納する筐体と、前記洗浄槽内に水を供給する給水管と、給水された水を前記洗浄槽から排水する排水管とを備え、前記給水管及び前記排水管の前記洗浄槽への接合部分を前記洗浄槽と前記筐体との間に配設してあり、前記給水管により供給された水を食器に対して噴射する食器洗い機において、
前記接合部分からの漏水を検知する漏水センサを前記筐体の底面に備え、
前記筐体の底面に、前記漏水センサへ前記接合部分からの漏水を誘導する流路を形成するリブを備えることを特徴とする食器洗い機。
【請求項２】
前記リブは、前記接合部分の直下に滴下する漏水を受ける水受け部を形成することを特徴とする請求項１記載の食器洗い機。
【請求項３】
前記流路は、前記漏水センサへ向かって傾斜していることを特徴とする請求項２記載の食器洗い機。
【請求項４】
前記リブは、前記筐体の底面を補強する補強リブと一体成形しており、該補強リブは、前記流路内側に形成していないことを特徴とする請求項１乃至３のいずれか一項に記載の食器洗い機。
【発明の詳細な説明】
【技術分野】
【０００１】
本発明は、洗浄槽へ給水する給水管及び排水する排水管の接続部からの漏水を検知することができる漏水センサを備える食器洗い機に関する。特に少量の漏水であっても、確実に漏水センサで検知することが可能な食器洗い機に関する。
【背景技術】
【０００２】
図１は、従来の食器洗い機の左側面から見た要部を模式的に示す構成図である。食器洗い機は、洗浄する食器１８を収納する洗浄槽２を筐体１の内部に設けており、洗浄槽２の内部には、食器１８が載せられる食器受具３と、食器受具３の下側に配置され、食器受具３に載せられた食器１８に向けて水を噴射する複数の回転可能な噴射ノズル１１、１１と、噴射ノズル１１、１１に分配弁を介して加圧水を供給する洗浄ポンプ７とを備えている。
【０００３】
食器１８の洗浄に用いる水道水は、外部給水口２１から供給され、給水管２３を介して給水ポンプ２２へ誘導されている。給水ポンプ２２が開放した場合、水道水は給水管２３を介して洗浄槽２へと誘導され、給水口２４から洗浄槽２内へ供給される。
【０００４】
洗浄槽２の底部には、洗浄槽２内に滞留している洗浄水を外部へ排水する排水口３１が設けてある。排水口３１から排出された洗浄水は排水管３３を介して排水ポンプ３２へ誘導される。排水ポンプ３２が稼動した場合、洗浄水は排水管３３を介して洗浄槽２の外部へと誘導され、外部排水口３４から洗浄槽２の外部へ排水される。
【０００５】
給水される水道水又は排水される洗浄水は、給水管２３と給水ポンプ２２との接合部分、給水管２３と洗浄槽２との接合部分、排水管３３と洗浄槽２との接合部分、排水管３３と排水ポンプ３２との接合部分等から漏水するおそれがあった。すなわち、内部を水道水又は洗浄水が通過する給水管２３及び排水管３３は、パッキン等の水密部材を介して接合している。しかし、経年変化、水密部材の劣化等により、水密部材の水密性が損なわれた場合、上述した接合部分から漏水し、筐体１の底板１２へ滴下する。
【０００６】
漏水が筐体１の底板１２に滴下しているか否かは、底板１２上に設けてある漏水センサ１３で検出する。漏水センサ１３は、例えば漏水により導電性が生じた場合に、漏水したものと判断するものである。
【０００７】
漏水が発生した場合、滴下した漏水を外部へ排出する方法も重要な課題の１つである。例えば特許文献１に開示してある食器洗浄機では、ホースと管継手との接続部分の下方に、扁平な矩形容器状をなしている水受部を底板に設けており、接続部分から滴下する水を水受部で受け止め、水受部を引き出し状に着脱可能とすることにより、滴下した漏水を容易に排水することができるようになっている。
【特許文献１】特開平７−３３４号公報
【発明の開示】
【発明が解決しようとする課題】
【０００８】
しかし、上述した食器洗浄器では、漏水が生じたか否かを検出する漏水センサを底板上に設けた場合、水受部に漏水が相当量滞留した場合にのみ漏水センサで検出することができ、少量の漏水では、漏水が生じているか否かを検出することができないという問題点があった。
【０００９】
また、ホースと管継手との接続部分が複数存在する場合、それに対応した複数の水受部を底板に設ける必要があり、接続部分の配置によっては水受部を引き出し状に着脱することができるよう水受部を配置することが困難となり、漏水の排水が困難になるという問題点もあった。さらに、水受部を配置することにより、底板の強度部材の配置設計の自由度が制限されることから、底板の強度を維持すべく強度部材が大型化することから、コストアップ要因となるという問題点もあった。
【００１０】
本発明は、斯かる事情に鑑みてなされたものであり、漏水が生じた場合、少量の漏水であっても漏水センサで確実に検知することができる食器洗い機を提供することを目的とする。
【００１１】
また、本発明は、底板の強度を維持しつつ、低コストで漏水を確実に検知することができる食器洗い機を提供することを目的とする。
【課題を解決するための手段】
【００１２】
上記目的を達成するために本発明に係る食器洗い機は、食器を収容する洗浄槽と、該洗浄槽を収納する筐体と、前記洗浄槽内に水を供給する給水管と、給水された水を前記洗浄槽から排水する排水管とを備え、前記給水管及び前記排水管の前記洗浄槽への接合部分を前記洗浄槽と前記筐体との間に配設してあり、前記給水管により供給された水を食器に対して噴射する食器洗い機において、前記接合部分からの漏水を検知する漏水センサを前記筐体の底面に備え、前記筐体の底面に、前記漏水センサへ前記接合部分からの漏水を誘導する流路を形成するリブを備えることを特徴とする。
【００１３】
本発明においては、洗浄槽と筐体との間に配設してある給水管及び排水管の洗浄槽への接合部分からの漏水を検知する漏水センサを筐体の底面に備えており、筐体の底面には、リブにより、漏水センサへ接合部分からの漏水を誘導する流路を形成してある。これにより、漏水が生じやすい給水管及び排水管の洗浄槽への接合部分からの漏水を、筐体の底面に備えた漏水センサまで確実に誘導することができ、漏水が生じた事実を確実に検知することが可能となる。
【００１４】
また、本発明に係る食器洗い機は、前記リブは、前記接合部分の直下に滴下する漏水を受ける水受け部を形成することを特徴とする。
【００１５】
本発明においては、リブは、給水管及び排水管の洗浄槽への接合部分の直下に滴下する漏水を受ける水受け部を形成する。これにより、接合部分で生じやすい漏水を、直下に備える水受け部で受け止めることができ、水受け部を介して漏水センサまで誘導することにより、漏水が生じた事実を確実に検知することが可能となる。
【００１６】
また、本発明に係る食器洗い機は、前記流路は、前記漏水センサへ向かって傾斜していることを特徴とする。
【００１７】
本発明においては、リブで形成されている流路は、筐体の底面に備える漏水センサへ向かって傾斜している。これにより、水受け部又は流路に滴下した漏水は、傾斜に沿って漏水センサまで誘導されることから、漏水が生じた事実を確実に検知することが可能となる。
【００１８】
また、本発明に係る食器洗い機は、前記リブは、前記筐体の底面を補強する補強リブと一体成形しており、該補強リブは、前記流路内側に形成していないことを特徴とする。
【００１９】
本発明においては、リブは、筐体の底面を補強する補強リブと一体成形しており、補強リブは、流路の内側には形成されていない。これにより、流路の内側では水受け部又は流路に滴下した漏水を円滑に漏水センサまで誘導することができ、従来と同様の構成の補強リブにより筐体の底板の強度を維持することが可能となる。また、補強リブと流路とが一体成形されることにより、製造コストが従来と変わらず、給水管及び排水管の洗浄槽への接合部分からの漏水が少量である場合であっても、漏水が生じた事実を確実に検知することが可能となる。
【発明の効果】
【００２０】
本発明によれば、漏水が生じやすい給水管及び排水管の洗浄槽への接合部分からの漏水を、筐体の底面に備えた漏水センサまで確実に誘導することができ、漏水が生じた事実を確実に検知することが可能となる。
【００２１】
また本発明によれば、漏水流路の内側では水受け部又は流路に滴下した漏水を円滑に漏水センサまで誘導することができ、従来と同様の構成の補強リブにより筐体の底板の強度を維持することが可能となる。
【００２２】
さらに、補強リブと流路とが一体成形されることにより、製造コストが従来と変わらず、給水管及び排水管の洗浄槽への接合部分からの漏水が少量である場合であっても、漏水が生じた事実を確実に検知することが可能となる。
【発明を実施するための最良の形態】
【００２３】
以下、本発明をその実施の形態を示す図面に基づいて詳述する。図２は本発明の実施の形態に係る食器洗い機の左側面から見た要部を模式的に示す構成図である。なお、従来の食器洗い機と同様の構成要素については、同一の符号を付する。
【００２４】
食器洗い機は、洗浄する食器１８を収納する洗浄槽２を筐体１の内部に設けており、洗浄槽２の内部には、食器１８が載せられる食器受具３と、食器受具３の下側に配置され、食器受具３に載せられた食器１８に向けて水を噴射する複数の回転可能な噴射ノズル１１、１１と、噴射ノズル１１、１１に分配弁を介して加圧水を供給する洗浄ポンプ７とを備えている。
【００２５】
食器１８の洗浄に用いる水道水は、外部給水口２１から供給され、給水管２３を介して給水ポンプ２２へ誘導されている。給水ポンプ２２が稼動した場合、水道水は給水管２３を介して洗浄槽２へと誘導され、給水口２４から洗浄槽２内へ供給される。
【００２６】
洗浄槽２の底部には、洗浄槽２内に滞留している洗浄水を外部へ排水する排水口３１が設けてある。排水口３１から排出された洗浄水は排水管３３を介して排水ポンプ３２へ誘導される。排水ポンプ３２が稼動した場合、洗浄水は排水管３３を介して洗浄槽２の外部へと誘導され、外部排水口３４から洗浄槽２の外部へ排水される。
【００２７】
給水される水道水又は排水される洗浄水は、給水管２３と給水ポンプ２２との接合部分、給水管２３と洗浄槽２との接合部分、排水管３３と洗浄槽２との接合部分、排水管３３と排水ポンプ３２との接合部分等から漏水するおそれがある。すなわち、内部を水道水又は洗浄水が通過する給水管２３及び排水管３３は、パッキン等の水密部材を介して接合している。しかし、経年変化、水密部材の劣化等により、水密部材の水密性が損なわれた場合、上述した接合部分から漏水し、筐体１の底板１２へ滴下する。
【００２８】
図３は、本発明の実施の形態に係る食器洗い機の筐体１の底板１２の平面図である。底板１２は、その上面に漏水センサ１３を備えており、給水管２３及び排水管３３の接合部分の直下に、滴下する漏水を受け止めることが可能な水受け部４１をリブ４２により形成している。またリブ４２は、水受け部４１から漏水センサ１３まで誘導する流路４３を形成している。水受け部４１に滴下した漏水は、流路４３を経由して漏水センサ１３まで誘導され、漏水が生じたか否かを検出することができる。
【００２９】
漏水センサ１３は、例えば面状の検出部と検知器とで構成されており、面状の検出部が漏水により濡れることにより変動する電流値を検知器で検出することにより、漏水が生じたか否かを判断する。なお、漏水センサ１３の形式は、斯かる形式に限定されるものではなく、漏水が生じたか否かを判断することができるものであれば何でも良い。
【００３０】
水受け部４１に滴下した漏水を、流路４３を経由して漏水センサ１３まで確実に誘導すべく、流路４３は、漏水センサ１３へ向かって下方に傾斜していることが好ましい。図４は、本発明の実施の形態に係る食器洗い機の図３の筐体１の底板１２のＩＶ−ＩＶ断面図である。給水管２３及び排水管３３の接合部分から滴下し、水受け部４１で受け止めた漏水は、流路４３の傾斜に沿って漏水センサ１３へと流れ落ちる。これにより、少量の漏水が生じた場合であっても、漏水を確実に漏水センサ１３まで誘導することができる。
【００３１】
また、水受け部４１及び流路４３を形成するリブ４２は、底板１２の強度を維持する強度部材である補強リブ４４と一体成形する。通常、底板１２の補強リブ４４は、底板１２の上面で、縦横の格子状に配設してある。水受け部４１及び流路４３を形成するリブ４２は、補強リブ４４と一体化して成形し、水受け部４１及び流路４３内には、補強リブ４４を設けない構成とする。
【００３２】
これにより、底板１２の成形時には、リブ４２及び補強リブ４４を一体成形することから、従来の補強リブの成形工程と工数に大差がなく、製造コストが上昇することがない。また、補強リブ４４により底板１２の強度を維持しつつ、漏水を受け止める水受け部４１及び漏水センサ１３まで誘導する流路４３を設けることが可能となる。
【００３３】
なお、漏水が生じやすいのは、給水管又は排水管の接合部分であり、給水ポンプ、排水ポンプ等を設けていない場合には、給水管と給水ポンプとの接合部分、排水管と排水ポンプとの接合部分等が存在しないことから、水受け部４１を減じることができる。
【００３４】
以上のように本実施の形態によれば、漏水が生じやすい給水管及び排水管の洗浄槽への接合部分からの漏水を、筐体の底面に備えた漏水センサまで確実に誘導することができ、漏水が生じた事実を確実に検知することが可能となる。
【００３５】
また、補強リブと流路とが一体成形されることにより、製造コストが従来と変わらず、給水管及び排水管の洗浄槽への接合部分からの漏水が少量である場合であっても、漏水が生じた事実を確実に検知することが可能となる。
【００３６】
なお、上述した実施の形態は、食器洗い機の機能を含む複合機でも同様の効果を奏することができ、例えば食器洗い乾燥機においても同様の効果を奏することが可能となる。
【図面の簡単な説明】
【００３７】
【図１】従来の食器洗い機の左側面から見た要部を模式的に示す構成図である。
【図２】本発明の実施の形態に係る食器洗い機の左側面から見た要部を模式的に示す構成図である。
【図３】本発明の実施の形態に係る食器洗い機の筐体の底板の平面図である。
【図４】本発明の実施の形態に係る食器洗い機の図３の筐体の底板のＩＶ−ＩＶ断面図である。
【符号の説明】
【００３８】
１  筐体
２  洗浄槽
３  食器受具
７  洗浄ポンプ
１１  噴射ノズル
１２  底板
１３  漏水センサ
２３  給水管
３３  排水管
４１  水受け部
４２  リブ
４３  流路
４４  補強リブ
【図１】
2006288768.tif 000003
【図２】
2006288768.tif 000004
【図３】
2006288768.tif 000005
【図４】
2006288768.tif 000006